(57)【要約】【課題】外部から塗布部の形状を視認可能で、塗布部に対する化粧料の付着量を微調整することができる、化粧料包装体の提供。【解決手段】  複数のシート２１，２２が重ね合わされ、密封された複数の収容部が形成された化粧料包装体１０であって、前記複数の収容部は、少なくとも、化粧料を収容する化粧料収容部１１と、該化粧料を塗布するための塗布体を収容する塗布体収容部１２とを含み、前記化粧料収容部１１と前記塗布体収容部１２との境界部分に、剥離可能なイージーピール１３が設けられており、前記塗布体収容部１２には、前記塗布体の取り出し方向に対して交差する方向に延伸して両端から内側に突出する絞り部１４，１５が設けられており、前記絞り部は、前記塗布体の取り出しの際に接触して前記塗布体３０に付着する前記化粧料の量を調整する、化粧料包装体１０。【選択図】図３
2019208672.tif 000002
【特許請求の範囲】
【請求項１】
複数のシートが重ね合わされ、密封された複数の収容部が形成された化粧料包装体であって、
前記複数の収容部は、少なくとも、化粧料を収容する化粧料収容部と、該化粧料を塗布するための塗布体を収容する塗布体収容部とを含み、
前記化粧料収容部と前記塗布体収容部との境界部分に、剥離可能なイージーピールが設けられており、
前記塗布体収容部には、前記塗布体の取り出し方向に対して交差する方向に延伸して両端から内側に突出する絞り部が設けられており、
前記絞り部は、前記塗布体の取り出しの際に接触して前記塗布体に付着する前記化粧料の量を調整する、
化粧料包装体。
【請求項２】
前記イージーピールは、前記化粧料収容部への外圧、あるいは前記塗布体を前記化粧料収容部側へ移動させて接触させることによって、剥離可能である、
請求項１に記載の化粧料包装体。
【請求項３】
前記絞り部は、前記塗布体の取り出し方向に複数並んで設けられており、
複数の絞り部は未使用時の前記塗布体の姿勢を維持する、
請求項１又は２に記載の化粧料包装体。
【請求項４】
前記複数の絞り部は、前記イージーピールに近いほど、前記絞り部の延伸距離が短く、前記塗布体収容部の絞り間隔が広い、
請求項３に記載の化粧料包装体。
【請求項５】
前記塗布体は、前記化粧料が付着する塗布部と、一端が前記塗布部と連接する棒状の軸部と、を有しており、
前記塗布部は前記軸部よりも幅が広い部分を有し、又は/及び、前記塗布部は前記軸部に対して傾斜しており、
未使用時において、前記軸部が、前記絞り部に対向するように封入されている、
請求項１乃至４のいずれか一項に記載の化粧料包装体。
【請求項６】
前記塗布体は、前記軸部の他端には、前記軸部より幅広の把持部を有している、
請求項５に記載の化粧料包装体。
【請求項７】
前記複数のシートの少なくとも１枚は透明である、
請求項１乃至６のいずれか一項に記載の化粧料包装体。
【請求項８】
前記塗布体は、まつ毛又は眉毛用マスカラ塗布具であり、
前記化粧料はまつ毛又は眉毛用の、アイブロー化粧料、マスカラ化粧料、又は美容液である、
請求項１乃至７のいずれか一項に記載の化粧料包装体。
【請求項９】
前記塗布体は、目元用塗布具であり、
前記化粧料はアイシャドー又はアイライナーである、
請求項１乃至７のいずれか一項に記載の化粧料包装体。
【請求項１０】
前記塗布体は、肌用塗布具であり、
前記化粧料は肌用の、コンシーラー、ファンデーション、又は美容液である、
請求項１乃至７のいずれか一項に記載の化粧料包装体。
【請求項１１】
前記塗布体は、髪用マスカラ塗布具であり、
前記化粧料は髪用の、部分カラーリング液、又はスタイリング剤である、
請求項１乃至７のいずれか一項に記載の化粧料包装体。
【請求項１２】
前記塗布体は、唇用塗布具であり、
前記化粧料は、液体口紅、グロス、又は唇用美容液である、
請求項１乃至７のいずれか一項に記載の化粧料包装体。
【請求項１３】
前記塗布体は、爪用塗布具であり、
前記化粧料は、ネイルエナメル、ジェルネイル、又はネイルケア剤である、
請求項１乃至７のいずれか一項に記載の化粧料包装体。
【発明の詳細な説明】
【技術分野】
【０００１】
本発明は、化粧料包装体に関する。
【背景技術】
【０００２】
マスカラや口紅等の化粧品のサンプルの包装では、塗布体の塗布部が化粧料の中に含浸していることが多い（例えば、引用文献１）。
【０００３】
また、一回使い切りの商品として、包装体において、薬剤と綿棒等の塗布体とを異なる収容部に保存し、直前に開封して、塗布体の一部を薬剤に漬けて使用する包装体の構成が開示されている（例えば、引用文献２）。
【０００４】
マスカラや口紅の塗布具はその形状が塗り易さ、使い易さに影響し、消費者が製品を選択する上で重要なポイントとなっており、特徴のあるものが各社から検討されている。そのため、サンプルにおいても塗布体の形状を視認できることは大きな価値がある。
【先行技術文献】
【特許文献】
【０００５】
【特許文献１】特表２０１１−５２５８４６号公報
【特許文献２】実開平５８−１５６６６４号公報
【発明の概要】
【発明が解決しようとする課題】
【０００６】
しかし、引用文献１の構成において、化粧料が黒や茶などの濃い色の化粧料の場合、マスカラ塗布具などで塗布部の部分に特徴がある形状であっても、包装体開封前は塗布部が化粧料に含浸しているため、塗布部の形状が外部から視認できなかった。
【０００７】
一方、引用文献２の構成を薬剤に適用する場合は、１回の使用の際に含有量すべてを塗布に使用することが想定されているが、化粧料の場合、各人の好みにより、塗布量が変動することがある。そのため、含有量に対して、塗布部に対する化粧料の付着量を微調整することが望まれる。
【０００８】
そこで、本発明は上記事情に鑑み、外部から塗布部の形状を視認可能で、かつ塗布部に対する化粧料の付着量を微調整することができる、化粧料包装体を提供することを目的とする。
【課題を解決するための手段】
【０００９】
上記課題を解決するため、本発明の一態様では、
複数のシートが重ね合わされ、密封された複数の収容部が形成された化粧料包装体であって、
前記複数の収容部は、少なくとも、化粧料を収容する化粧料収容部と、該化粧料を塗布するための塗布体を収容する塗布体収容部とを含み、
前記化粧料収容部と前記塗布体収容部との境界部分に、剥離可能なイージーピールが設けられており、
前記塗布体収容部には、前記塗布体の取り出し方向に対して交差する方向に延伸して両端から内側に突出する絞り部が設けられており、
前記絞り部は、前記塗布体の取り出しの際に接触して前記塗布体に付着する前記化粧料の量を調整する、
化粧料包装体を提供する。
【発明の効果】
【００１０】
一態様によれば、化粧料包装体において、外部から塗布部の形状を視認可能で、塗布部に対する化粧料塗布料の付着量を微調整することができる。
【図面の簡単な説明】
【００１１】
【図１】塗布体が封入されていない、本発明の実施形態に係る化粧料包装体を示す図。
【図２】本発明の化粧料包装体に封入される第１実施形態の塗布体の一例の図。
【図３】第１実施形態の塗布体が封入された状態の化粧料包装体を示す図。
【図４】塗布体を化粧料包装体から取り出す動作説明図。
【図５】塗布体を化粧料包装体から取り出す動作フローチャート。
【図６】第２実施形態の塗布体が封入された状態の化粧料包装体。
【図７】第３実施形態の塗布体が封入された状態の化粧料包装体。
【図８】第４実施形態の塗布体が封入された状態の化粧料包装体。
【発明を実施するための形態】
【００１２】
以下、図面を参照して本発明を実施するための形態について説明する。
【００１３】
本発明の下記の実施形態に係る化粧料包装体は、試供品や、旅行用の小分け販売用など、一度の化粧行為で使い切る単回使用に適した化粧のための包装体である。
【００１４】
＜第１実施形態＞
図１は、本発明の実施形態に係る、塗布体が封入されていない化粧料包装体１０を示す図である。図２は、本発明の化粧料包装体に封入される第１実施形態の塗布体の一例の図である。図３は、第１実施形態の塗布体が封入された状態の係る化粧料包装体を示す図である。
【００１５】
本発明の化粧料包装体１０は、複数のシートが重ね合わされ、４辺の縁部と、仕切り部分を接着することで、非接着部分には密封された複数の収容部が形成されている。以下、説明のため、本願の化粧料包装体１０を、表面側シート２１と裏面側シート２２の２枚のシートで構成される例を説明するが、例えば強度を強くするため、表面側、裏面側にそれぞれ複数枚のシートを使用してもよいし、あるいは、片方のみシートの枚数を増やして構成してもよい。
【００１６】
シート２１，２２の材質は、特に限定されるものではないが、例えば、ポリエチレン、ポリプロピレン、ポリエチレンテレフタレート、ポリ塩化ビニル、ポリ塩化ビニリデン、エチレン−酢酸ビニル共重合体、ポリアクリロニトリル、ポリアミドもしくはポリスチレンなどの合成樹脂、アルミニウム箔などの金属または紙など、あるいは、これらの積層体により構成することができる。なお、２枚のシートの材質は、それぞれ同種のものでもよく、異種のものでもよい。
【００１７】
重ね合わせるシート２１，２２は、表面側又は裏面側の少なくとも一方が透明、又は半透明であって、内部を視認可能な透過性のある色である、パウチ構造であると好ましい。少なくとも一方のシートが透過性であることで、使用者は、化粧料包装体を開封する前に、内部に収容される塗布体の塗布部の形状や、化粧料の色や質感を視認することができる。
【００１８】
例えば、マスカラや口紅の塗布部の形状は、塗り易さ、使い易さに影響し、消費者が製品を選択する上で重要なポイントとなるため、サンプルにおいても塗布体の形状を視認できるので、サンプルの魅力を一層高めることが出来、大きな価値がある。
【００１９】
化粧料包装体１０のサイズは、例えば、幅１０ｍｍ〜４０ｍｍ、長さ５０ｍｍ〜１５０ｍｍである。また、化粧料包装体１０のシートの厚みは０.０５ｍｍ〜１ｍｍ程度である。化粧料包装体１０の厚みは、端部等の薄い部分で０．１ｍｍ〜２ｍｍ程度であり、厚い部分は、収容する塗布体３０の厚さに対応した厚さになる。
【００２０】
化粧料包装体１０における複数の収容部は、化粧料を収容する化粧料収容部１１と、塗布体３０を収容する塗布体収容部１２とを含む。
【００２１】
化粧料収容部１１の大きさは、例えば、幅９ｍｍ〜３９ｍｍ、長さ１０ｍｍ〜５０ｍｍ程度である、塗布体収容部１２の大きさは、例えば、幅９ｍｍ〜３９ｍｍ、長さ４０ｍｍ〜１００ｍｍ程度であるとする。
【００２２】
化粧料包装体１０の縁部のうち、化粧料収容部１１を取り囲む縁部２３，２４は、剥離しづらい接着領域（強シール）で構成され、塗布体収容部１２を取り囲む縁部２５，２６は、使用時に表面側シート２１をめくれるように剥離可能なイージーピール（弱シール）で構成されている。
【００２３】
化粧料収容部１１で収容する化粧料は、皮膚表面の化粧等に好適に用いるものであって、例えば、粘度１０００ｃｐｓ以上の粘性化粧品（３０℃Ｂ型粘度計）以上の粘性化粧品であると好適である。化粧料収容部１１に収容される化粧料の含有量は、例えば、重量０．００１ｇ〜１００ｇ程度である。
【００２４】
化粧料収容部１１と塗布体収容部１２との境界部分に、該化粧料収容部１１への外圧によって、あるいは塗布体３０を化粧料収容部１１側へ移動させて接触させることによって、剥離可能なイージーピール１３が設けられている。イージーピール１３は、表面側と裏面側のシート２１，２２を接着する剥離可能な弱シールである仕切り用接着領域である。図示するイージーピール１３は、直線形状の線分である例を示しているが、仕切り用のイージーピール１３は、前方（図１の下方）、後方（図１の上方）、又は側方（図１の手前側又奥側）に、凸状、凹状、屈曲、湾曲している形状であってもよい。
【００２５】
塗布体収容部１２には、塗布体３０の取り出し方向Ａとは異なる方向に延伸して両端から内側に突出する絞り部１４，１５が設けられている。異なる方向とは、図３に示す取り出し方向Ａと交差していればよく、本例においては取り出し方向Ａと直交する方向に絞り部１４，１５が延伸している例を示している。また、２本の絞り部１４，１５の接着領域の延伸方向は、同じ方向であってもよく、異なる方向であってもよい。
【００２６】
絞り部１４，１５は、例えば、表面側と裏面側のシート２１，２２を接着する接着領域であり、少なくとも１つの絞り部１４又は１５は、剥離が難しい強シールの接着領域によって構成される。
【００２７】
塗布体収容部１２には、さらに、開口部イージーピール１６が設けていてもよい。この開口部イージーピール１６、塗布体３０を安定的に塗布料収容部１２内に収納しておくための位置決め及び動き規制用の剥離可能な接着領域である。このイージーピール１６は、表面側シート２１を裏面側シート２２から剥がすことで、使用直前に剥離される。
【００２８】
また、化粧料包装体の収容部１１，１２の外側の端部に、流通時の括り用あるいは販売時の吊り下げ用の穴部１７を設けてもよい。
【００２９】
図２を参照して、本実施形態の塗布体３０は、塗布部３１と、軸部３２と、把持部３３とを備えている。塗布部３１は化粧料が付着する部位であり、軸部３２は、棒状であって一端が塗布部３１と連接とし、他端は、把持部３３と連接している。把持部３３は、使用者が取り出しや戻し動作の際に把持する部位であって、軸部３２より幅広の形状であると好適である。
【００３０】
図２では、塗布体３０は、マスカラ塗布具である例を説明する。マスカラ塗布具を構成する塗布体３０は、例えば、樹脂を一体成型することにより形成されている。樹脂材料としては熱可塑性樹脂を用いることが望ましく、例えばエラストマー、ポリエチレン、ポリプロピレン、ポリスチレン、ポリエチレンテレフタレート、ポリブチレンテレフタレート、ポリカーボネート、ポリアセテート、ナイロン等を用いることができる。あるいは、マスカラ塗布具を構成する塗布部３１を、金属、ナイロン毛等複数の素材を組み合わせて構成してもよい。
【００３１】
なお、図２に示すマスカラ塗布具は、まつ毛用、眉毛用のどちらに適用してもよく、化粧料Ｍは、例えば、マスカラ液（マスカラ化粧料）に限られず、まつ毛用育毛剤（美容液）、マスカラ下地、まつ毛コーティング剤、まつ毛エクステ用コーティング剤、アイライナー液、およびマスカラとアイライナー兼用化粧料組成物等の複数用途に使用できる化粧料などであってもよい。
【００３２】
軸部３２の形状については、例えば、円柱状、楕円柱状、角柱状等を挙げることができる。軸部３２の大きさについては、塗布を容易とするためには、好ましくは、長さ７ｍｍ〜７０ｍｍ、軸部の径（直径）１ｍｍ〜７ｍｍのものが用いられる。
【００３３】
図２に示す例では、塗布部３１は軸部３２よりも幅が広い部分を有し、又は/及び、塗布部３１は軸部３２に対して傾斜し、且つ湾曲している。塗布部３１の形状については、傾斜状に限られず、例えば、放射状、湾曲状、ヘラ状、その他専用の特殊形状であってもよい。例えば、湾曲する場合、塗布部３１の長手方向Ｌｃの長さは、例えば、１５ｍｍ〜４０ｍｍ、特に１６ｍｍ〜２８ｍｍでありうる。さらに、塗布部３１は軸部３２に対して直線形状であってもよい。
【００３４】
把持部３３の形状は任意であり、例えば、円形、楕円形、四角形状、多角形状、ハート等である。把持部３３を設ける場合、少なくとも軸部３２より幅広であると好適であり、例えば、最も広い部分の幅が、例えば、２ｍｍ〜２０ｍｍでありうる。
【００３５】
図１及び図３を参照して、塗布体３０は、未使用時において、軸部３２が、絞り部１４，１５に対向するように封入されている。また、塗布体３０を、絞り部１４，１５を有する化粧料収容部の内部に入れた後に、密接して封入させることで移動を規制できる。
【００３６】
絞り部１４，１５が、軸部３２と対向していることで、未使用時に、塗布体３０が、化粧料包装体１０の中で移動することを規制する、即ち、塗布体３０の姿勢を維持する。また、絞り部１４，１５は、両側から接着領域が延伸していることで、図３中、左右の夫々の絞り部１４，１５に挟まれた間隔が狭まって絞り領域（絞り間隔）となっていることで、塗布部３１に付着する量を規制するシゴキ部材として機能する。
【００３７】
本例では、絞り部が２本の例を示しているが、絞り部の数を増やすほど、未使用時の塗布体３０の移動規制機能が向上し、塗布部３１への化粧料Ｍの付着を規制する量が多くなる。
【００３８】
仕切り用のイージーピール１３に近い側の第１段絞り部１４は、例えば、接着領域は、幅１ｍｍ〜５ｍｍ、延伸の長さは、３ｍｍ〜７ｍｍ程度であり、中央の絞り間隔Ｉ１は５ｍｍ〜１５ｍｍである。また、イージーピールから遠い側の第２段絞り部１５は、接着領域は、幅１ｍｍ〜５ｍｍ、延伸の長さは、５ｍｍ〜１０ｍｍ程度であり、中央の絞り間隔Ｉ２は３ｍｍ〜１０ｍｍである。
【００３９】
絞り部１４，１５は、塗布体３０の取り出しの際に塗布部３１と接触して塗布体に付着する化粧料の量を調整する。
【００４０】
そして、複数の絞り部１４，１５を設けることで、塗布体３０をＡ方向に取り出すときに、取り出し方向の傾きを規制しながら、塗布部３１に付着する化粧料の量を規制することができる。
【００４１】
より詳しくは、複数の絞り部１４，１５を設ける場合、仕切り用のイージーピール１３に近い、第１段絞り部１４の接着領域の延伸距離が短く、塗布体収容部１２の絞り間隔（中空距離）が広くなるように形成されていると好適である。即ち、幅狭の領域である絞り間隔Ｉ１、Ｉ２の関係は、Ｉ１＞Ｉ２であると好適である。
【００４２】
また、絞り間隔Ｉ１の両端である第１段絞り部１４の両先端は直線状であり、絞り間隔Ｉ２の両端である第２段絞り部１５の両先端は丸みを帯びている。
【００４３】
このように構成することで、絞り間隔Ｉ１に塗布部３１が進入する際に、第１段絞り部１４の角部を有する端部によって、塗布部３１に過剰に付着した化粧料が一定量に削ぎ落とされる。そして、さらに狭い絞り間隔Ｉ２に塗布部３１が進入する際に、第２段絞り部１５の丸みを帯びた端部に塗布部３１が接触することで、付着量を徐々に調整し、所望のマスカラ量を塗布部３１に付着させる。
【００４４】
＜取り出し動作＞
図４は、塗布体３０を化粧料包装体１０から取り出す動作説明図である。図５は、塗布体３０を化粧料包装体１０から取り出す動作フローチャートである。
【００４５】
Ｓ１０１において、使用者が指で化粧料収容部１１を押圧することによる化粧料収容部１１への外圧により、仕切り用のイージーピール１３を破壊する（図４（ａ）⇒（ｂ））。この動作により、化粧料収容部１１内の化粧料Ｍが、塗布体収容部１２の側へ移動し、化粧料Ｍを塗布部３１に付着させる。
【００４６】
なお、図４では、化粧料収容部１１への外圧により、仕切り用のイージーピール１３を破壊する例を示したが、表面側シート２１の把持部側を第２段絞り部１５の手前まで先にめくり、塗布体３０を化粧料収容部１１側へ仕切り用のイージーピール１３を破壊して移動させて、塗布部３１へ化粧料Ｍを付着させてもよい。
【００４７】
Ｓ１０２において、塗布体側の端部の表面側シート２１をめくることで、塗布体３０の把持部側のイージーピール１６を破壊する。
【００４８】
Ｓ１０３において、塗布体３０の取り出しを開始する。
【００４９】
Ｓ１０４において、塗布体３０の取り出しが進むことで、塗布体３０の塗布部３１と一対の第１段絞り部１４の接着領域の中央側の端部とが接触する。これにより、第１段絞り部１４によって、塗布部３１に過剰に付着した化粧料の量が規制される（図４（ｂ）⇒（ｃ））。
【００５０】
Ｓ１０５において、塗布体３０の取り出しがさらに進むことで、塗布体３０の塗布部３１と第２段絞り部１５とが接触する（図４（ｃ）⇒（ｄ））。これにより、第１段絞り部１４の中央側端部と、第２段絞り部１５の中央側の端部と、塗布体３０の塗布部３１とが同時に接触し始め、塗布体３０の取り出し方向Ａにおける向きの傾きが調整され、塗布部３１に過剰に付着した化粧料の量が規制される。
【００５１】
Ｓ１０６において、塗布体３０の塗布部３１と第１段絞り部１４とが接触が解消される（図４（ｄ）⇒（ｅ））。これにより、塗布体３０の取り出し方向Ａにおける向きの傾きの規制が解除されるため、使用者は、目視により、塗布部３１に対する化粧料Ｍの付着量を調整するように、把持部３３の傾き方向を調整又は把持部３３を横方向に移動することで、第２段絞り部１５への押し付け量を調整することができる。
【００５２】
Ｓ１０７において、塗布体３０の塗布部３１と第２段絞り部１５とが接触が解消される。これにより、第２段絞り部１５による化粧料の量の規制が終了する。使用者は塗布部３１に対する化粧料の過不足がないか確認し、付着量に過不足があるは、図４（ｂ）の位置まで戻し、塗布体や取り出し・戻し動作や、図５（ｅ）での絞り部１４，１５への押し付けを繰り返して付着量を所望の量に到達させたら、使用者は、まつ毛に化粧料を付着させる。
【００５３】
なお、例えば化粧料の付着量が１回の塗布動作で不足してより濃く付着させたい場合、あるいは、仕上がりを考慮して、一度の塗布動作で大量に塗布せず、２度づけ３度づけを前提として付着動作を行う場合は、化粧料収容部１１内に化粧料が存在する範囲で、上記の動作を繰り返す。
【００５４】
なお、図４では、取り出し方向に対して、ほぼ真っ直ぐに取り出す例を説明したが、しぼり部の絞り間隔Ｉ１，Ｉ2が、塗布体の塗布部３１の最大幅よりも狭く構成されていた場合、真っ直ぐには引き出せないため、取り出しの際に、軸部を適宜傾けながら取り出す。このように絞り間隔Ｉ１，Ｉ2が、塗布体３０の塗布部３１の最大幅よりも狭く構成されていた場合は、Ｓ１０１で強く外圧を掛けたとしても、塗布体の把持部まで中味が移行するのを防ぐことができる。
【００５５】
＜第２実施形態＞
図６は、第２実施形態の塗布体が封入された状態の化粧料包装体を示す。包装体は第１実施形態と同様である。
【００５６】
本実施形態における塗布体３０Ａには、把持部が設けられていない。本実施形態の塗布体３０Ａを用いる場合は、使用者は、軸部３２Ａを把持する。
【００５７】
本実施形態では、把持部３３が設けられないので、その分、塗布体３０Ａの全長を短くすることができ、化粧料包装体１０をよりコンパクトにすることができる。
【００５８】
＜第３実施形態＞
図７は、第３実施形態の塗布体が封入された状態の化粧料包装体を示す。包装体の形状は第１実施形態と同様である。
【００５９】
図７（ａ）に示す本実施形態において、塗布体３０Ｂは、目元用塗布具の塗布体、又は肌用塗布具の塗布体である。本実施形態において、化粧料収容部１１に収容される化粧料Ｃは目元用化粧料であるアイシャドーもしくはアイライナー、または肌用化粧料であるコンシーラー、ファンデーションもしくは美容液等である。
【００６０】
図７（ｂ）に示すように、塗布体３０の塗布部３１Ｂは、表面がフロッキー（細毛）３４で覆われる構成であってもよい。塗布部３１Ｂをフロッキー３４で覆うことで、使用者が目元用塗布具又は肌用塗布具の塗布体である塗布体３０Ｃを用いて塗布を行う際に、肌への刺激を少なく、肌あたりを良くしたり、化粧料の付着量を調節することができる。
【００６１】
＜第４実施形態＞
図８は、第４実施形態の塗布体が封入された状態の化粧料包装体を示す。包装体の形状は第１実施形態と同様である。
【００６２】
本実施形態において、塗布体３０Ｄは、リップ用塗布具（唇用塗布具）である。図８において化粧料収容部１１に収容される化粧料ＬＧは、液体口紅、グロス、又は唇用美容液等である。
【００６３】
上述の実施形態では、マスカラ塗布具、肌部分用塗布具、リップ用塗布具について説明したが、本願の化粧料包装体に適用可能な塗布体は、他の化粧料の塗布具であってもよい。
【００６４】
例えば、包装体に適用される例として、塗布体は、髪用マスカラ塗布具であり、化粧料は髪用の、部分カラーリング液、又はスタイリング剤であってもよい。髪用の場合は、化粧料包装体のサイズを上記寸法よりも、大きく設定してもよい。
【００６５】
あるいは、他の例として、塗布体３０は、爪用塗布具であり、化粧料は、ネイルエナメル、ジェルネイル、又はネイルケア剤であってもよい。
【００６６】
以上説明したように、本発明の実施形態の係る化粧料包装体において、外部から塗布部の形状を視認可能で、塗布部に対する化粧料の付着量を微調整することができる。
【００６７】
なお、上記例では、絞り部１４，１５は、剥離不能な接着部材で構成する例を説明したが、絞り部１４，１５のいずれか一方の接着領域をイージーピールで構成してもよい。絞り部の１つをイージーピールで構成することで、例えば、適用する化粧料の粘性が高く塗布体３０が取り出しにくいことが想定される場合に、塗布体を引き出す際に絞り部のシールが剥がれることで、低抗が殆ど無く、幅狭のしぼり領域に引っかかることなく引き出せる。
【００６８】
絞り部を形成する接着領域の１つを剥離可能にするか、すべてを剥離不能にするかは、収容する化粧料の粘度や、化粧の用途に適した塗布部への付着量に応じて、構成を適宜設定すると好適である。
【００６９】
また、上記の例では、絞り部の数が２つの例を説明したが、絞り部の数は、収容する化粧料の粘度や、化粧の用途に適した塗布部への付着量に応じて、１本又は３本以上であってもよい。
【００７０】
また、例えば、仕切り用のイージーピール１３の外側を強シール部にして、弱シール部の領域幅を、塗布体収容部の内幅よりも狭くし、化粧料が塗布体側に流れ出ず、強シール部がシゴキ機能を有するような構造にしてもよい。
【００７１】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００７２】
１０  化粧料包装体
１１  化粧料収容部
１２  塗布体収容部
１３  イージーピール（仕切り用）
１４  絞り部（第１段絞り部）
１５  絞り部（第２段絞り部）
１６  イージーピール（位置決め用）
２１  表面側シート
２２  裏面側シート
２３，２４  縁部（強シール）
２５，２６  縁部（弱シール）
３０  塗布体（マスカラ塗布具）
３０Ａ  塗布体（マスカラ塗布具）
３０Ｂ  塗布体（目元用塗布具、肌用塗布具）
３０Ｃ  塗布体（目元用塗布具、肌用塗布具）
３０Ｄ  塗布体（リップ塗布具、唇用塗布具）
３１，３１Ｂ，３１Ｄ  塗布部
３２，３２Ａ  軸部
３３  把持部
３４  フロッキー
Ｉ１  絞り間隔
Ｉ２  絞り間隔
Ｍ  化粧料（マスカラ液）
Ｃ  化粧料（コンシーラ液）
Ｌ  化粧料（リップグロス）
Ｌｃ  塗布部長さ
【図１】
2019208672.tif 000003
【図２】
2019208672.tif 000004
【図３】
2019208672.tif 000005
【図４】
2019208672.tif 000006
【図５】
2019208672.tif 000007
【図６】
2019208672.tif 000008
【図７】
2019208672.tif 000009
【図８】
2019208672.tif 000010